(57)【要約】【課題】格子台板プレキャスト部材を提案する。【解決手段】大梁フレームと格子台板プレキャスト部材を含み、格子台板プレキャスト部材は大梁フレームの片側に接続して設置し、第一方向梁と複数の並列した第二方向梁を含む。第一方向梁は第一大梁間に跨設して大梁フレームと接続し、側壁と側壁に並列設置した複数の接続部を具備し、また、前記第二方向梁はそれぞれ前記接続部の反対側に対応するように設置して前記第一方向梁と接続し、且つ前記並列する第二方向梁は前記第一方向梁と前記大梁フレームとで囲んで複数の格子孔を形成する。【選択図】図１
0003141158.tif 000002
【実用新案登録請求の範囲】
【請求項１】
大梁フレームと合わせて使用し、前記大梁フレームは並列した複数の第一大梁からなる格子台板プレキャストの部材であって、
前記第一大梁の間に跨設し、前記大梁フレームと接続する第一方向梁であって、前記第一方向梁は側壁と前記側壁に並列に設置する複数の接続部を有するものと、
複数の並列する第二方向梁であって、前記第二方向梁はそれぞれ前記接続部の反対側に対応するように設置して前記第一方向梁と接続し、且つ前記並列する第二方向梁は前記第一方向梁と前記大梁フレームとで囲んで複数の格子孔を形成するものを含むことを特徴とする、格子台板プレキャスト部材。
【請求項２】
前記第一大梁はそれぞれ接合溝を有し、前記第一方向梁の両端部はそれぞれ接合部を形成して前記接合溝と嵌合し、前記第一方向梁を前記第一大梁の間に跨設することを特徴とする、請求項１に記載の格子台板プレキャスト部材。
【請求項３】
前記大梁フレームはさらに前記第一大梁の端部と接続する第二大梁を含み、前記第二大梁は複数の接合溝を有し、また前記第二方向梁はそれぞれ前記接合溝と嵌合する接合端を有し、前記第二方向梁を前記第一方向梁と前記第二大梁の間に跨設することを特徴とする、請求項１に記載の格子台板プレキャスト部材。
【考案の詳細な説明】
【技術分野】
【０００１】
本考案はプレキャスト部材に関し、格子台板プレキャスト階層を建造する格子台板プレキャスト部材に用いられ、該格子台板プレキャスト部材並びに格子台板プレキャスト階層を活用した建築物が微振動反応の発生を効果的に抑えることができることに関する。
【背景技術】
【０００２】
現在、製造業用工場建屋の建設、特にウェハ工場等ハイテク製造業の工場建屋では、精密な製造機具は安定した設置を必要とするため、工場建屋の床板は軽微な振動に耐え得るものでなければならない。前記の耐振ニーズを達成するため、一般には耐振特性を備えた格子台板を使用して工場建屋の床板にしたり機械設備据付の主要構造としたりしている。
【０００３】
然しながら、一部の格子台板の構造は元の設計強度や使用方法に制限があることから、一旦元の設計強度を超えた振動を受けると、相変わらず微振動反応を効果的に抑えることができず、精密な製造機具や生産ラインの安定面から見ると一定レベルのリスクをもたらすのである。
【考案の開示】
【考案が解決しようとする課題】
【０００４】
本考案の主たる目的は、建築構造における微振動反応の発生を効果的に抑えるための格子台板プレキャスト部材を提供することにある。
【０００５】
本考案の別の目的は、建築構造全体の耐振性と安定性を高めるための格子台板プレキャスト部材を提供することにある。
【課題を解決するための手段】
【０００６】
格子台板プレキャストの部材は大梁フレームと合わせて使用し、前記大梁フレームは並列した複数の第一大梁からなり、前記第一大梁の間に跨設し、前記大梁フレームと接続する第一方向梁であって、前記第一方向梁は側壁と前記側壁に並列に設置する複数の接続部を有するものと、複数の並列する第二方向梁であって、前記第二方向梁はそれぞれ前記接続部の反対側に対応するように設置して前記第一方向梁と接続し、且つ前記並列する第二方向梁は前記第一方向梁と前記大梁フレームとで囲んで複数の格子孔を形成する。
【０００７】
また、前記第一大梁はそれぞれ接合溝を有し、前記第一方向梁の両端部はそれぞれ接合部を形成して前記接合溝と嵌合し、前記第一方向梁を前記第一大梁の間に跨設する。
【０００８】
前記大梁フレームはさらに前記第一大梁の端部と接続する第二大梁を含み、前記第二大梁は複数の接合溝を有し、また前記第二方向梁はそれぞれ前記接合溝と嵌合する接合端を有し、前記第二方向梁を前記第一方向梁と前記第二大梁の間に跨設する。
【考案の効果】
【０００９】
建築構造における微振動反応の発生を効果的に抑えると共に、建築構造全体の耐振性と安定性を高めることができる。
【考案を実施するための最良の形態】
【００１０】
以下、添付図面を参照して本考案の実施の形態を詳細に説明する。
【実施例】
【００１１】
図１に示すように、本考案の格子台板プレキャスト部材３００は大梁フレーム２００と合せて使用して格子台板プレキャスト階層を形成し、大梁フレーム２００は並列する複数の第一大梁２１０と第二大梁２２０からなり、前記第二大梁２２０は前記第一大梁２１０の端部と接続し、且つ第一大梁２１０と第二大梁２２０はコーナーの複数の主柱９００により相互に接続した上、共同で囲んで大梁フレーム２００を形成し、前記第一大梁２１０はそれぞれ接合溝２１１を具備し、且つ前記第二大梁２２０もまた複数の接合溝２２１を設けて、格子台板プレキャスト部材３００と接合する。
【００１２】
然しながら、格子台板プレキャスト部材３００は第一方向梁４００と複数の並列する第二方向梁５００を含み、また第一方向梁４００は第一大梁２１０の間に跨設させて大梁フレーム２００と接続し、且つ第一方向梁４００は側壁４１０と側壁４１０に並列設置する複数の接続部４２０を有する。ここで同時に図２を参照すると、前記接続部４２０は鉄筋を接続するのに用いられ、別の格子台板プレキャスト部材３００の第一方向梁と接続して格子孔６００を形成し、また相互に等間隔で分布させて第一方向梁４００の側壁４１０面に設置し、それは第一方向梁４００の側壁４１０面にある分布位置であって、また格子孔６００の設計サイズと現地にて測量調査した微振動反応に応じてフレキシブルに調整することができ、一方別の接続部４２０は側面フランジ４２１を含み、且つ側面フランジ４２１は側壁４１０面に接続成形するが、側面フランジ４２１においては第一方向梁４００の側壁４１０から外側へ長方形凸部を延伸させて形成すると共に、長方形の短い梁を外側へ延伸させて形成することもできる。但し、やはり構造全体における耐振効果の確実性を考慮して異なる形式での設計をする必要がある。
【００１３】
前記第一方向梁４００の両端部はそれぞれ接合部４０１を成形し、且つ第一方向梁４００の前記接合部４０１はそれぞれ第一大梁２１０の接合溝２１１と嵌合して第一方向梁４００を第一大梁２１０の間に跨設させ、その接合部４０１はその端部から外側に一部を突出させて係止ブロック４０１１を形成し、且つ接合溝２１１は好ましくは前記接合部４０１の係止ブロック４０１１の形状に対応して、第一大梁２１０の側壁表面に凹溝を窪ませて接合部４０１の係止ブロック４０１１を架け渡し、また係止ブロック４０１１の高さは第一大梁２１０側壁の高さの四分の三であり、また係止ブロック４０１１と接合溝２１１の比率とサイズも耐振効果のニーズに応じて異なる設計をすることができる。
【００１４】
このほか、前記複数の並列する第二方向梁５００はそれぞれ接続部４２０の反対側に対応するように設置して第一方向梁４００と接続し、且つ並列する第二方向梁５００は第一方向梁４００並びに大梁フレーム２００とで囲んで複数の格子孔６００を形成し、また第一方向梁４００は２本の第二方向梁５００と互いにπ字型の格子台板プレキャスト部材を接続形成すると共に、３本以上の第二方向梁５００とも互いにプレキャスト部材を接続形成することもできるが、格子台板プレキャスト階層が必要とする格子孔の数と設計ニーズによって決まり、前記第二方向梁５００はそれぞれ第一方向梁４００と垂直に直角に交わると共に、微振動反応とそれに関係する応力分布に応じて、第一方向梁４００とアングルを挟んで設置することもできれば、また第一方向梁４００と前記並列する第二方向梁５００はプレキャスト方式で一体形成することもできる。
【００１５】
前記第二方向梁５００の一端は接合部５０１を成形し、且つ前記接合端５０１はそれぞれ第二大梁２２０の前記接合溝２２１と嵌合して第二方向梁５００を第一方向梁４００と第二大梁２２０の間に跨設させ、接合端５０１はその端部から外側に一部を突出させて係止ブロック５０１１を形成し、且つ接合溝２２１は係止ブロック５０１１に対応する形状で、第二大梁２２０の側壁表面に凹溝を窪ませて係止ブロック５０１１を架け渡し、また係止ブロック５０１１の高さは第二大梁２２０側壁の高さの四分の三であって、さらに係止ブロック５０１１と接合溝２２１の比率とサイズもまた耐振効果のニーズに応じて異なる設計をすることができる。
【００１６】
図２に示すように、本考案の格子台板プレキャスト階層は大梁フレーム２００、第一格子台板プレキャスト部材３０１及び第二格子台板プレキャスト部材３０２からなり、前記大梁フレーム２００は並列する複数の第一大梁２１０と並列する複数の第二大梁２２０からなり、且つ前記第二大梁２２０は前記第一大梁２１０の端部と接続してこれを囲んで大梁フレーム２００を形成し、さらに第一格子台板プレキャスト部材３０１を第一大梁２１０の間に跨設すると共に、大梁フレーム２００の片側に接続設置する。そして前記第二格子台板プレキャスト部材３０２は第一格子台板プレキャスト部材３０１に対向して大梁フレーム２００のもう一方の側に接続設置し、また第二格子台板プレキャスト部材３０２は第一格子台板プレキャスト部材３０１の鏡像位置にあるが、これを第一格子台板プレキャスト部材３０１と同一方向に向けて設置して同様の単位ベクトルを有することも可能である。
【００１７】
このほか、第一格子台板プレキャスト部材３０１と第二格子台板プレキャスト部材３０２はそれぞれ第一方向梁４００と複数の並列する第二方向梁５００を具備し、且つ第一方向梁４００は好ましくは側壁４１０と側壁４１０に並列設置する複数の接続部４２０を有し、前記第二方向梁５００はそれぞれ前記接続部４２０の反対側に対応して設置して第一方向梁４００と接続し、且つ前記並列する第二方向梁５００は第一方向梁４００並びに大梁フレーム２００とで囲んで複数の格子孔６００を形成する。
【００１８】
また、前記大梁フレーム２００はそれぞれ接合溝２１１を有し、且つ第一方向梁４００の両端部はそれぞれ接合溝２１１と嵌合する接合部４０１を成形し、第一方向梁４００を第一大梁２１０の間に跨設させる。このほか、大梁フレーム２００の第二大梁２２０もまた複数の接合溝２２１を設け、且つ前記第二方向梁５００もまたそれぞれ前記接合溝２２１と嵌合する接合端５０１を有して、前記第二方向梁５００を第一方向梁４００と第二大梁２２０の間に跨設して複数の格子孔６００を形成する。
【００１９】
第一格子台板プレキャスト部材３０１と第二格子台板プレキャスト部材３０２の第一方向梁４００はそれぞれ側壁４１０に並列設置する複数の接続部４２０を有し、前記接続部４２０は側面フランジ４２１を有し、且つ側面フランジ４２１は側壁４１０面に接続して形成するが、側面フランジ４２１は第一方向梁４００の側壁４１０から外側へ長方形凸部を延伸させて形成すると共に、接続部４２０もまた長方形の短い梁を外側へ延伸させて形成することもできる。但し、やはり構造全体における耐振効果の確実性を考慮して異なる形式での設計をする必要がある。
【００２０】
前記接続部４２０は鉄筋を接続するのに用いると共に、二つの格子台板プレキャスト部材の第一方向梁４００を接続し、さらに本考案の格子台板プレキャスト階層は複数の接続鉄筋７００を含み、且つ前記接続部４２０はそれぞれ複数の鉄筋接続器４２２を設けて接続鉄筋７００と接合させ、さらに前記接続鉄筋７００は好ましくは第一格子台板プレキャスト部材３０１と第二格子台板プレキャスト部材３０２の前記鉄筋接続器４２２の間に接続設置して、第一格子台板プレキャスト部材３０１及び第二格子台板プレキャスト部材３０２とで囲んで複数の中間列にある格子孔６００を形成する。  
【００２１】
図２と図３で示すように、本考案の格子台板プレキャスト階層１００はさらに複数の波板８００を含んで、それぞれ前記接続鉄筋７００と第一格子台板プレキャスト部材３０１及び第二格子台板プレキャスト部材３０２とで囲んで成る前記格子孔６００に覆設する。このほか、前記波板８００はまた、それぞれ前記第一方向梁４００と第二大梁２２０の間に位置する前記格子孔６００覆設して本考案の格子台板プレキャスト階層１００を構成する。
【図面の簡単な説明】
【００２２】
【図１】本考案の格子台板プレキャスト部材の好ましい実施例
【図２】本考案の格子台板プレキャスト部材並びに本部材を使用した格子台板プレキャスト階層の好ましい実施例
【図３】本考案の格子台板プレキャスト部材並びに本部材を使用した格子台板プレキャスト階層の好ましい実施例
【符号の説明】
【００２３】
１００      格子台板プレキャスト階層
２００      大梁フレーム
２１０      第一大梁
２１１      第一大梁接合溝
２２０      第二大梁
２２１      第二大梁接合溝
３００      格子台板プレキャスト部材
３０１      第一格子台板プレキャスト部材
３０２      第二格子台板プレキャスト部材
４００      第一方向梁
４０１      接合部
４０１１    係止ブロック
４１０      側壁
４２０      接続部
４２１      側面フランジ
４２２      鉄筋接続器
５００      第二方向梁
５０１      接合端
５０１１    係止ブロック
６００      格子孔
７００      接続鉄筋
８００      波板
９００      主柱
【図１】
0003141158.tif 000003
【図２】
0003141158.tif 000004
【図３】
0003141158.tif 000005